(57)【要約】  【課題】  トラバースシャーシに対してプリント回路基板を立てた状態で取り付けることができる安価な取付け構造を提供する。  【解決手段】  トラバースシャーシ２には、プリント回路基板１０における下側の縁部をスライド可能に挟み込んで、基板１０の下方への移動を制限する第１の溝２１と、この第１の溝２１に下側の縁部が挟み込まれた基板１０における上下方向の両側のうちの一側の縁部が嵌め込まれて、基板１０のスライド移動及び上方への移動を制限する第２の溝２２と、この第２の溝２２に一側の縁部が嵌め込まれた基板１０における上下方向の両側のうちの他側の縁部に隣接して第１の溝２１を上下方向に貫通する下穴２３と、が形成されている。第１の溝２１に縁部が挟み込まれつつ第２の溝２２に縁部が嵌め込まれた基板１０は、下穴２３にねじ込まれたタッピングビス３０により、スライド移動及び上方への移動が制限されてシャーシ２に取り付けられる。【選択図】      図１
2007058914.tif 000002
【特許請求の範囲】
【請求項１】
メインシャーシと、
このメインシャーシに対して光ディスクを搬送するディスクトレイと、
メインシャーシ内に搬送された前記光ディスクの記録面に対して昇降するトラバースシ
ャーシと、
このトラバースシャーシに支持されて前記光ディスクの記録面に沿う径方向に往復移動
する光ピックアップを有するピックアップユニットと、
前記トラバースシャーシに設けられて前記ディスクトレイ、前記トラバースシャーシ及
び前記ピックアップユニットを駆動させるモータと、を備えるとともに、
そのモータの主軸に固定されて前記モータの駆動に従って回転するスリット板と、
このスリット板を上下から挟むフォトインタラプタが搭載されて前記トラバースシャー
シ上に立てた状態で取り付けられるプリント回路基板と、より成るエンコーダを備えた光
ディスク装置におけるトラバースシャーシへのプリント回路基板の取付け構造であって、
前記プリント回路基板は、基板ホルダにビスでねじ止めして固定した上で、その基板ホ
ルダをトラバースシャーシにタッピングビスでねじ止めすることで取り付けられるトラバ
ースシャーシへのプリント回路基板の取付け構造において、
前記基板ホルダ及び前記ビスを排除し、
前記トラバースシャーシには、
前記プリント回路基板における下側の縁部をスライド可能に挟み込んで、前記プリント
回路基板の下方への移動を制限する第１の溝と、
この第１の溝に前記下側の縁部が挟み込まれた前記プリント回路基板における上下方向
の両側のうちの一側の縁部が嵌め込まれて、前記プリント回路基板の一方へのスライド移
動及び上方への移動を制限する第２の溝と、
この第２の溝に前記一側の縁部が嵌め込まれた前記プリント回路基板における上下方向
の両側のうちの他側の縁部に隣接して前記第１の溝を上下方向に貫通する下穴と、が形成
されており、
前記第１の溝に前記下側の縁部が挟み込まれつつ前記第２の溝に前記一側の縁部が嵌め
込まれた前記プリント回路基板は、前記下穴にねじ込まれたタッピングビスにより、他方
へのスライド移動及び上方への移動が制限されて前記トラバースシャーシに取り付けられ
、
前記プリント回路基板における前記他側の縁部は、上側が切り欠かれていて、この切欠
きの下端に、前記下穴にねじ込まれた前記タッピングビスの頭部の内面が圧接しているこ
とを特徴とするトラバースシャーシへのプリント回路基板の取付け構造。
【請求項２】
メインシャーシと、
このメインシャーシに対して光ディスクを搬送するディスクトレイと、
メインシャーシ内に搬送された前記光ディスクの記録面に対して昇降するトラバースシ
ャーシと、
このトラバースシャーシに支持されて前記光ディスクの記録面に沿う径方向に往復移動
する光ピックアップを有するピックアップユニットと、
前記トラバースシャーシに設けられて前記ディスクトレイ、前記トラバースシャーシ及
び前記ピックアップユニットを駆動させるモータと、を備えるとともに、
そのモータの主軸に固定されて前記モータの駆動に従って回転するスリット板と、
このスリット板を上下から挟むフォトインタラプタが搭載されて前記トラバースシャー
シ上に立てた状態で取り付けられるプリント回路基板と、より成るエンコーダを備えた光
ディスク装置におけるトラバースシャーシへのプリント回路基板の取付け構造であって、
前記トラバースシャーシには、
前記プリント回路基板における下側の縁部をスライド可能に挟み込んで、前記プリント
回路基板の下方への移動を制限する第１の溝と、
この第１の溝に前記下側の縁部が挟み込まれた前記プリント回路基板における上下方向
の両側のうちの一側の縁部が嵌め込まれて、前記プリント回路基板の一方へのスライド移
動及び上方への移動を制限する第２の溝と、
この第２の溝に前記一側の縁部が嵌め込まれた前記プリント回路基板における上下方向
の両側のうちの他側の縁部に隣接して前記第１の溝を上下方向に貫通する下穴と、が形成
されており、
前記第１の溝に前記下側の縁部が挟み込まれつつ前記第２の溝に前記一側の縁部が嵌め
込まれた前記プリント回路基板は、前記下穴にねじ込まれたタッピングビスにより、他方
へのスライド移動及び上方への移動が制限されて前記トラバースシャーシに取り付けられ
ることを特徴とするトラバースシャーシへのプリント回路基板の取付け構造。
【請求項３】
前記プリント回路基板における前記他側の縁部は、上側が切り欠かれていて、この切欠
きの下端に、前記下穴にねじ込まれた前記タッピングビスの頭部の内面が圧接しているこ
とを特徴とする請求項２に記載のトラバースシャーシへのプリント回路基板の取付け構造
。
【発明の詳細な説明】
【技術分野】
【０００１】
本発明は、情報記録媒体であるＣＤやＤＶＤ等の光ディスクに対して情報の再生や記録
を行う光ディスク装置に関し、特に、ピックアップユニット、トラバースシャーシ及びデ
ィスクトレイ各々を駆動させるモータの駆動を制御するためのエンコーダの構成要素であ
るプリント回路基板を、トラバースシャーシに対して立てた状態で取り付ける構造に関す
る。
【背景技術】
【０００２】
一般に、光ディスク装置は、クランプした光ディスクを回転させ、その光ディスクの記
録面にレーザー光を出射してその記録面上に情報を書き込んだり（記録）、更に光ディス
クの記録面で反射したレーザー光を受光してその記録面上の情報を読み取ったり（再生）
するものであり、大きくは、固定のメインシャーシと、可動のトラバースシャーシとから
外形が構成される（例えば、特許文献１〜３参照）。そのメインシャーシには、ディスク
トレイが正面から内外へ挿脱可能に支持されている。
【０００３】
このような光ディスク装置の具体的な構成について、その一例を図５を参照しながら以
下に説明する。メインシャーシ１は、例えばポリスチレン（ＰＳ）等の合成樹脂の成型品
であり、トラバースシャーシ２は、例えばポリフェニレンエーテル（ＰＰＥ）等の合成樹
脂の成型品である。
【０００４】
トラバースシャーシ２には、光ディスクの記録面に沿う径方向（図５では前後方向）に
往復移動するピックアップユニット３が設けられている。ピックアップユニット３に隣接
する一側部（図５では右側部）には、主としてピックアップユニット３を移動させるため
のモータ４と、このモータ４の主軸ギアに１つが噛合しつつ、互いが噛合して概ね前後方
向に連なる複数の平ギアから成るギア列５と、が設けられている。ギア列５のうちの１つ
の平ギアが、ピックアップユニット３の側部に形成されたラック３ａと噛合することによ
り、モータ４の駆動力がピックアップユニット３に伝達され、ピックアップユニット３が
移動する。なお、ピックアップユニット３の移動の案内は、一般には、その移動方向と平
行にトラバースシャーシ２上に支持された一対のガイド軸でなされる。
【０００５】
また、ギア列５のうちの最前部の平ギアは、トラバースシャーシ２に設けられたトレイ
ギア８と噛合している。このトレイギア８は、トラバースシャーシ２の前方でメインシャ
ーシ１側に配されたカムスライダ６のラックと噛合可能になっている。カムスライダ６は
、トラバースシャーシ２の前端部に設けられたシフトレバー７とカム係合し、ディスクト
レイの搬送方向（前後方向）及びトラバースシャーシ２の昇降方向と略直交する方向（左
右方向）に移動できる。そして、カムスライダ６は、そのラックがトレイギア８と噛合す
ることにより、モータ４の駆動力が伝達されて左右方向に移動し、これにより、カム係合
するシフトレバー７が案内されてトラバースシャーシ２が昇降する。
【０００６】
更に、トレイギア８は、ディスクトレイに形成された前後方向に延在するラックと噛合
可能になっている。そして、ディスクトレイは、そのラックとトレイギア８とが噛合する
ことにより、モータ４の駆動力が伝達され、前後方向に移動するようになっている。
【０００７】
このような光ディスク装置において、メインシャーシ１の外部へ引き出されたディスク
トレイ上に光ディスクが載置され、モータ４の駆動によりそのディスクトレイがメインシ
ャーシ１の内部へ送り込まれる。ディスクトレイが規定位置まで送り込まれると、ディス
クトレイのラックとトレイギア８との噛合が外れる一方、カムスライダ６のラックとトレ
イギア８とが噛合する。カムスライダ６は、モータ４の駆動により左右方向に移動し、ト
ラバースシャーシ２を上昇させる。トラバースシャーシ２が規定位置まで上昇すると、カ
ムスライダ６のラックとトレイギア８との噛合が外れるとともに、光ディスクがクランプ
される。
【０００８】
ここで、光ディスクのクランプについて具体的に説明しておく。メインシャーシ１の上
側に左右方向にわたってクランパホルダが架設されており、その中央には略円板状のクラ
ンパが回転自在に設けられている。一方、そのクランパと対向するトラバースシャーシ２
上には、スピンドルモータが取り付けられており、このスピンドルモータの主軸の先端部
には、その主軸の回転（スピンドルモータの駆動）に従って回転するターンテーブル９が
固定されている。そして、トラバースシャーシ２が上昇することにより、光ディスクの中
心穴がターンテーブル９に嵌合し、更に、光ディスクがターンテーブル９の上面とクラン
パの下面との間に挟み込まれてクランプされる。
【０００９】
光ディスクがクランプされると、ピックアップユニット３のラック３ａとギア列５の平
ギアとが噛合する。そして、モータ４の駆動により、ピックアップユニット３が光ディス
クの径方向へ移動し、そのピックアップユニット３と共に移動する光ピックアップによっ
て、光ディスクに対しての情報の再生や記録が行われる。なお、光ディスクを取り出す際
には上記とは逆の動作が行われる。
【００１０】
ところで、このような光ディスク装置では、ピックアップユニット３の駆動、トラバー
スシャーシ２の駆動及びディスクトレイの駆動が、いずれもモータ４の駆動力によりなさ
れるわけであるが、各々の駆動に際してそのモータ４の駆動を適正に制御するために、エ
ンコーダＥが適用されている。
【００１１】
このエンコーダＥは、モータ４の主軸の先端部に固定された円板状のスリット板Ｓと、
このスリット板Ｓの外周縁部を上下から挟み込むように配置されたフォトインタラプタＰ
（ＰＩ；Photo Interrupter）とより構成される。スリット板Ｓには、放射状に多数のス
リットが形成されている。フォトインタラプタＰは、専用のプリント回路基板（以下、「
ＰＩ基板」と記すことがある）１０にハンダ付けされて実装されており、このＰＩ基板１
０は、トラバースシャーシ２上に立てた状態で取り付けられている。この取付けは、先ず
、ＰＩ基板１０を別部品である専用の基板ホルダにビスでねじ止めして固定し、その上で
、その基板ホルダをトラバースシャーシ２上にタッピングビスでねじ止めすることで行う
。ここでのＰＩ基板１０は、光ディスク装置全体の動作を制御する制御部に接続されてい
る。
【００１２】
このような構成のもと、モータ４の駆動すなわちその主軸の回転に従ってスリット板Ｓ
が回転するわけであるが、その際、フォトインタラプタＰの間を通過するスリットが順次
検出され、それに応じたパルス信号がＰＩ基板１０から出力される。制御部は、そのパル
ス信号を受けてそのパルス数をカウントし、ピックアップユニット３、トラバースシャー
シ２及びディスクトレイ各々の駆動に適正な駆動信号（例えばモータ４への電圧値に関す
る信号）をモータ４へ与える。なお、図５中の符号ＳＷは、ピックアップユニット３が光
ディスクの内周端位置に達しているか否かを検出する内周端検知スイッチであり、この内
周端検知スイッチＳＷのオン／オフ出力された時点が、ＰＩ基板１０からのパルス信号を
カウントする際の基準点として用いられる。
【特許文献１】特開２００４−２５３１３０号公報
【特許文献２】特開２００３−２９７０６５号公報
【特許文献３】特開平１１−２２４４８２号公報
【発明の開示】
【発明が解決しようとする課題】
【００１３】
ところで、近年の光ディスク装置には、より一層のコスト低減が求められている。特に
、ピックアップユニット３、トラバースシャーシ２及びディスクトレイ各々を駆動させる
モータ４の駆動を制御するためのエンコーダＥに関しては、その構成要素であるＰＩ基板
１０を基板ホルダを介することなくトラバースシャーシ２上に取り付けることができれば
、その基板ホルダ、及びこれとＰＩ基板１０とを固定するビスの分だけ部品点数の削減に
つながるため、光ディスク装置のコスト低減を実現できる。
【００１４】
しかし、上記した光ディスク装置においては、ＰＩ基板１０をトラバースシャーシ２上
に立てた状態で取り付けなければならないことから、基板ホルダを排除した場合、例えば
、トラバースシャーシ２上に板状のリブを形成しておき、このリブにＰＩ基板１０を立て
た状態で重ね、タッピングビスでねじ切りながらねじ止めすることになる。この場合、タ
ッピングビスを受け入れる下穴をリブに形成する必要があるため、トラバースシャーシ２
の成型に用いられる金型として、その下穴を個別に成型するピン状の金型が別途必要とな
る。そうすると、トラバースシャーシ２の成型工程が複雑にならざるを得ず、トラバース
シャーシ２の製造コストが著しく上昇し、その結果として、トラバースシャーシ２の調達
コストが悪化してしまう。従って、光ディスク装置のコスト低減が実質阻害される。
【００１５】
そこで本発明は、上記の問題に鑑みてなされたものであり、トラバースシャーシに対し
てＰＩ基板を立てた状態で取り付けることができる安価な取付け構造を提供することを目
的とするものである。
【課題を解決するための手段】
【００１６】
上記目的を達成するため、本発明は、メインシャーシと、このメインシャーシに対して
光ディスクを搬送するディスクトレイと、メインシャーシ内に搬送された前記光ディスク
の記録面に対して昇降するトラバースシャーシと、このトラバースシャーシに支持されて
前記光ディスクの記録面に沿う径方向に往復移動する光ピックアップを有するピックアッ
プユニットと、前記トラバースシャーシに設けられて前記ディスクトレイ、前記トラバー
スシャーシ及び前記ピックアップユニットを駆動させるモータと、を備えるとともに、そ
のモータの主軸に固定されて前記モータの駆動に従って回転するスリット板と、このスリ
ット板を上下から挟むフォトインタラプタが搭載されて前記トラバースシャーシ上に立て
た状態で取り付けられるプリント回路基板と、より成るエンコーダを備えた光ディスク装
置におけるトラバースシャーシへのプリント回路基板の取付け構造であって、前記プリン
ト回路基板は、基板ホルダにビスでねじ止めして固定した上で、その基板ホルダをトラバ
ースシャーシにタッピングビスでねじ止めすることで取り付けられるトラバースシャーシ
へのプリント回路基板の取付け構造において、次の点を特徴とする。前記基板ホルダ及び
前記ビスを排除する。前記トラバースシャーシには、前記プリント回路基板における下側
の縁部をスライド可能に挟み込んで、前記プリント回路基板の下方への移動を制限する第
１の溝と、この第１の溝に前記下側の縁部が挟み込まれた前記プリント回路基板における
上下方向の両側のうちの一側の縁部が嵌め込まれて、前記プリント回路基板の一方へのス
ライド移動及び上方への移動を制限する第２の溝と、この第２の溝に前記一側の縁部が嵌
め込まれた前記プリント回路基板における上下方向の両側のうちの他側の縁部に隣接して
前記第１の溝を上下方向に貫通する下穴と、が形成されている。そして、前記第１の溝に
前記下側の縁部が挟み込まれつつ前記第２の溝に前記一側の縁部が嵌め込まれた前記プリ
ント回路基板は、前記下穴にねじ込まれたタッピングビスにより、他方へのスライド移動
及び上方への移動が制限されて前記トラバースシャーシに取り付けられ、前記プリント回
路基板における前記他側の縁部は、上側が切り欠かれていて、この切欠きの下端に、前記
下穴にねじ込まれた前記タッピングビスの頭部の内面が圧接している。
【００１７】
このような構成にすると、従来必要であった基板ホルダ、及びこれとプリント回路基板
とを固定するビスがなくても、プリント回路基板をトラバースシャーシ上に立てた状態で
、強固に取り付けることができる。しかも、トラバースシャーシは、製造コストの上昇を
伴わず、安価に得られる。
【００１８】
また、上記目的を達成するために、本発明は、メインシャーシと、このメインシャーシ
に対して光ディスクを搬送するディスクトレイと、メインシャーシ内に搬送された前記光
ディスクの記録面に対して昇降するトラバースシャーシと、このトラバースシャーシに支
持されて前記光ディスクの記録面に沿う径方向に往復移動する光ピックアップを有するピ
ックアップユニットと、前記トラバースシャーシに設けられて前記ディスクトレイ、前記
トラバースシャーシ及び前記ピックアップユニットを駆動させるモータと、を備えるとと
もに、そのモータの主軸に固定されて前記モータの駆動に従って回転するスリット板と、
このスリット板を上下から挟むフォトインタラプタが搭載されて前記トラバースシャーシ
上に立てた状態で取り付けられるプリント回路基板と、より成るエンコーダを備えた光デ
ィスク装置におけるトラバースシャーシへのプリント回路基板の取付け構造であって、次
の点を特徴とする。前記トラバースシャーシには、前記プリント回路基板における下側の
縁部をスライド可能に挟み込んで、前記プリント回路基板の下方への移動を制限する第１
の溝と、この第１の溝に前記下側の縁部が挟み込まれた前記プリント回路基板における上
下方向の両側のうちの一側の縁部が嵌め込まれて、前記プリント回路基板の一方へのスラ
イド移動及び上方への移動を制限する第２の溝と、この第２の溝に前記一側の縁部が嵌め
込まれた前記プリント回路基板における上下方向の両側のうちの他側の縁部に隣接して前
記第１の溝を上下方向に貫通する下穴と、が形成されている。そして、前記第１の溝に前
記下側の縁部が挟み込まれつつ前記第２の溝に前記一側の縁部が嵌め込まれた前記プリン
ト回路基板は、前記下穴にねじ込まれたタッピングビスにより、他方へのスライド移動及
び上方への移動が制限されて前記トラバースシャーシに取り付けられる。
【００１９】
このような構成にすると、プリント回路基板をトラバースシャーシ上に立てた状態で、
強固に取り付けることができる。しかも、トラバースシャーシは、製造コストの上昇を伴
わず、安価に得られる。
【００２０】
ここで、実用性を踏まえると、前記プリント回路基板における前記他側の縁部は、上側
が切り欠かれていて、この切欠きの下端に、前記下穴にねじ込まれた前記タッピングビス
の頭部の内面が圧接していることが好ましい。
【発明の効果】
【００２１】
本発明の光ディスク装置におけるトラバースシャーシへのプリント回路基板の取付け構
造によれば、従来必要であった基板ホルダ、及びこれとプリント回路基板とを固定するビ
スが完全に不要となるため、その分だけ部品点数の削減につながる。しかも、トラバース
シャーシは、安価に得られる。その結果、光ディスク装置のコスト低減を十分に実現でき
る。
【発明を実施するための最良の形態】
【００２２】
以下に、本発明の光ディスク装置におけるトラバースシャーシへのＰＩ基板の取付け構
造の一実施形態について、図面を参照しながら詳述する。図１は、本発明の一実施形態で
ある光ディスク装置におけるトラバースシャーシへのＰＩ基板の取付け構造を示す分解斜
視図である。図２〜図４は、図１の取付け構造における取付け過程での一状態を示す斜視
図であって、図２はＰＩ基板の取付け中の状態を示し、図３はタッピングビスによるねじ
止め直前の状態を示し、図４は取付け完了状態を示している。なお、これらの図中、エン
コーダＥについては、その構成要素のうち、フォトインタラプタＰが実装されたＰＩ基板
１０を図示し、スリット板Ｓの図示は省略している。
【００２３】
本実施形態では、トラバースシャーシ２上には、左右方向に延在するとともにその端か
ら上方に突出する概ねＬ字形の突起２０が形成されている。この突起２０の左右方向に延
在する部分には、ＰＩ基板１０の厚さとほぼ同じ（厳密には僅かに大きい）幅の第１の溝
２１が、左右方向に沿って形成されている。この第１の溝２１は、立てた状態のＰＩ基板
１０における下側の縁部を受け入れて、左右方向にスライド可能にその縁部を前後から挟
み込み、前後を含むＰＩ基板１０の下方への移動を制限する役割を果たす。
【００２４】
その突起２０の上方に突出する部分には、ＰＩ基板１０の厚さとほぼ同じ（厳密にはや
や大きい）幅の第２の溝２２が、第１の溝２１の延長線上で上下方向に沿って形成されて
いる。この第２の溝２２は、第１の溝２１に下側の縁部が挟み込まれたＰＩ基板１０にお
ける上下方向の両側（ここでは左右側）のうちの一側（ここでは左側）の縁部が嵌め込ま
れて、その縁部を前後から挟み込むとともにＰＩ基板１０における上側の端面を押さえ込
み、前後を含むＰＩ基板１０の左方へのスライド移動及び上方への移動を制限する役割を
果たす。
【００２５】
更に、第１の溝２１には、後述するタッピングビス３０を受け入れる下穴２３が、上下
方向にトラバースシャーシ２を貫通して形成されている。この下穴２３は、第１の溝２１
に下側の縁部が挟み込まれつつ第２の溝２２に左側の縁部が嵌め込まれたＰＩ基板１０に
おける右側の縁部に隣接した位置に、形成されている。
【００２６】
ここでの突起２０を含む第１の溝２１、第２の溝２２及び下穴２３の形成は、トラバー
スシャーシ２の成型と同時に行われる。第１の溝２１の形成は、成型に用いられる上下の
金型のうちの上型の彫刻部形状に、凸部を造型すれば足りる。また、第２の溝２２の形成
は、上型と対になる下型の彫刻部形状に、凸部を造型すれば足りる。第２の溝２２の延長
線上に形成された貫通穴２４は、その下型に造型した凸部を導くために形成されたもので
ある（図１参照）。また、下穴２３の形成は、上型又は下型の彫刻部形状に、ピン状の凸
部を造型すれば足りる。従って、このようなトラバースシャーシ２は、成型工程を複雑に
せずとも得ることができるため、製造コストの上昇を伴わず、安価に得られる。
【００２７】
また、本実施形態では、ＰＩ基板１０における右側の縁部は、上側が切り欠かれて切欠
き１１が形成されている。
【００２８】
このような構成のトラバースシャーシ２に対するＰＩ基板１０の取付けは、次のように
して行われる。図２に示すように、ＰＩ基板１０を立てた状態でその下側の縁部を第１の
溝２１に挿入し、そのＰＩ基板１０を第２の溝２２に向けてスライドさせていく。次に、
図３に示すように、そのままＰＩ基板１０の左側の縁部を第２の溝２２に嵌め込む。そし
て、上方から、タッピングビス３０を、ＰＩ基板１０の右側の端面に沿わせながら、その
先端を下穴２３にあてがい、ねじ込んでいく。タッピングビス３０をそのままねじ込んで
いくと、図４に示すように、そのタッピングビス３０の頭部の内面が、ＰＩ基板１０にお
ける切欠き１１の下端に圧接し、これでトラバースシャーシ２へのＰＩ基板１０の取付け
が完了する。
【００２９】
この状態では、ＰＩ基板１０は、第１の溝２１によって下方への移動が制限され、第２
の溝２２によって左方及び上方への移動が制限され、タッピングビス３０によって、右方
及び上方への移動が制限される。つまり、トラバースシャーシ２上に立てた状態で、強固
に取り付けられる。
【００３０】
このような構成にすると、従来必要であった基板ホルダ、及びこれとＰＩ基板１０とを
固定するビスが完全に不要となるため、その分だけ部品点数の削減につながる。しかも、
トラバースシャーシ２は、製造コストの上昇を伴わず、安価に得られる。その結果、光デ
ィスク装置のコスト低減を十分に実現できる。
【００３１】
なお、本発明は上記の実施形態に限定されず、本発明の趣旨を逸脱しない範囲で、種々
の変更が可能である。例えば、ＰＩ基板１０に切欠き１１を形成せずに、長いタッピング
ビス３０を準備し、その頭部の内面をＰＩ基板１０の上側の端面に直接圧接させるように
ても構わない。
【産業上の利用可能性】
【００３２】
本発明は、光ディスクに対して情報の再生や記録を行うための光ディスク装置に有用で
ある。
【図面の簡単な説明】
【００３３】
【図１】本発明の一実施形態である光ディスク装置におけるトラバースシャーシへのプリント回路基板の取付け構造を示す分解斜視図である。
【図２】図１の取付け構造における取付け過程での一状態を示す斜視図であって、プリント回路基板の取付け中の状態を示す図である。
【図３】図１の取付け構造における取付け過程での一状態を示す斜視図であって、タッピングビスによるねじ止め直前の状態を示す図である。
【図４】図１の取付け構造における取付け過程での一状態を示す斜視図であって、取付け完了状態を示す図である。
【図５】本発明にも共通する一般的な光ディスク装置の構成を示す平面図である。
【符号の説明】
【００３４】
１    メインシャーシ
２    トラバースシャーシ
３    ピックアップユニット
４    モータ
５    ギア列
６    カムスライダ
７    シフトレバー
８    トレイギア
９    ターンテーブル
１０    プリント回路基板
１１    切欠き
２０    突起
２１    第１の溝
２２    第２の溝
２３    下穴
３０    タッピングビス
Ｓ    スリット板
Ｐ    フォトインタラプタ
Ｅ    エンコーダ
【図１】
2007058914.tif 000003
【図２】
2007058914.tif 000004
【図３】
2007058914.tif 000005
【図４】
2007058914.tif 000006
【図５】
2007058914.tif 000007